(57)【特許請求の範囲】
【請求項１】
室内側の下面が開放された四角形状の箱体からなり、天井裏内において吊りボルトにより高さ調整可能に支持されるケース本体と、同ケース本体の下面側に取り付けられる四角枠状に形成されたパネルベースとを含み、上記ケース本体内には、遠心ファンおよびそのファン駆動用モータと、上記遠心ファンの周りに配置された熱交換器とが収納されているとともに、上記ケース本体の下面側には、上記遠心ファンの吸気口を形成するベルマウスと、上記熱交換器にて熱交換された空気の送風口とが設けられ、上記パネルベースには、上記送風口に対応して配置される風向板と、上記ベルマウスの吸気口に連通する吸込グリルとが設けられてている空気調和機において、
上記パネルベースの側壁には、化粧枠が取付位置変更手段を介して異なる高さ位置に選択的に取り付けられ、上記取付位置変更手段は、上記化粧枠の相対向する所定の２辺に設けられたフックと、上記パネルベースの相対向する一方の２辺側において上記フックと係合するように形成された深さの浅い第１溝と、上記パネルベースの相対向する他方の２辺側において上記フックと係合するように形成された深さの深い第２溝とを備え、上記フックを上記第１溝もしくは上記第２溝のいずれかに係合させることにより、上記パネルベースに対して上記化粧枠が異なる高さ位置に保持されることを特徴とする空気調和機。
【請求項２】
上記フックは、上記各溝に対して上方から係合する逆Ｕ字状に形成されている請求項１に記載の空気調和機。
【請求項３】
上記第１溝および上記第２溝の下方には、上記フックの両側辺に当接して同フックの左右方向の動きを封ずるリブが形成されている請求項１または２に記載の空気調和機。
【請求項４】
上記リブは、下方に行くにしたがって漸次高さが高くなる傾斜面を備えている請求項３に記載の空気調和機。
【発明の詳細な説明】
【０００１】
【発明の属する技術分野】
本発明は、構成要素の大部分が天井裏の空間内に収納され、前面パネル部分のみが天井面に配置される空気調和機に関し、さらに詳しく言えば、天井裏の高さスペースが狭い場合でも、前面パネル部分を見栄えよく設置できるようにしたいわゆる天井埋込（はめ込み）型の空気調和機に関するものである。
【０００２】
【従来の技術】
空気調和機は、室内空気を熱交換する室内機と、外気に対して放熱もしくは外気から吸熱する室外機とを備えている。室内機は壁に掛けられたり、床面上に置かれたりするが、特にオフィスビルや店舗などにおいては、床面や壁面を有効に使用できるようにするため、室内機を天井に設置するようにしている。
【０００３】
室内機を天井に設置するにしても、その見栄えが重視される。そのために、天井埋込型として天井裏の空間内に室内機を設置するようにしており、その一例を図３０の斜視図および図３１の設置状態の断面図により説明する。なお、以下の説明において、空気調和機とは室内機側のことを指している。
【０００４】
この空気調和機（室内機）１は、室内側の下面が開放された箱形のケース本体２を備えている。ケース本体２内の中央部分には、遠心ファン２１およびその駆動モータ２２が、それらの回転軸をほぼ垂直として配置されている。遠心ファン２１の周りには熱交換器２３が配置されている。熱交換器２３の下方には露受けとしてのドレンパン２４が設けられている。
【０００５】
ケース本体２の下面側の中央には、遠心ファン２１の吸気口を形成するベルマウス２５が設けられている。また、ケース本体２の下面側の周辺部には、熱交換器２３にて熱交換された空気の送風口２６が形成されている。ケース本体２の下面側には、前面パネル（化粧パネルとも称される）３が、図示しないネジなどの固定手段により取り付けられている。
【０００６】
この前面パネル３は、その中央にベルマウス２５に連通する空気吸込口３１を有し、同空気吸込口３１内には吸込グリル３２が着脱自在に装着されている。吸込グリル３２の内側にはフィルタ３３が配置されている。また、前面パネル３の周辺部には、ケース本体２側の送風口２６に連通する空気吹出し口３４が形成されている。なお、図示されていないが、空気吹出し口３４内には風向板が設けられる。
【０００７】
従来の技術においては、上記のようにケース本体２に前面パネル３を取り付けた状態で、ケース本体２を吊りボルト４を介して天井スラブ５に吊り下げ、前面パネル３が天井板６とほぼ同一高さとなるように、その吊りボルト４によりケース本体２の高さを調整する。なお、天井板６はケース本体２の高さ調整後に図示しない支持骨格に沿って張り込まれる。
【０００８】
【発明が解決しようとする課題】
ところで、各建物において、天井裏の高さスペースは一定ではない。そのため、高さ調整ができる吊りボルト４を用いてケース本体２を吊り下げるようにしているが、吊りボルト４による調整が有効なのは、天井裏の高さスペースがケース本体２の高さよりも広い場合である。
【０００９】
室内環境をよくするため、近年では天井が高くされる傾向にあり、相対的に天井裏の高さスペースが狭くされつつある。他方、空気調和機においては、空調能力を高めるために熱交換器などの大型化が図られており、これに伴なって、ケース本体２の高さも大きくなってきている。
【００１０】
したがって、吊りボルト４で目一杯調整したとしても、ケース本体２を天井裏内に完全に収納しきれず、その下方の一部分が天井面からはみ出てしまうことがある。そうすると、前面パネル３と天井板６との間に隙間が生じ、見栄えが悪く製品価値が著しく損なわれる。場合によっては、機種変更を余儀なくされ、多大な損害を被ることになりかねない。
【００１１】
【課題を解決するための手段】
本発明によれば、上記の課題が解決され、空気調和機のケース本体を設置する天井裏の高さスペースが狭く、そのケース本体の一部分が天井面からはみ出してしまうような場合でも、前面パネル部分の見栄え（外観）をよくすることができる。
【００１２】
すなわち、本発明は、室内側の下面が開放された四角形状の箱体からなり、天井裏内において吊りボルトにより高さ調整可能に支持されるケース本体と、同ケース本体の下面側に取り付けられる四角枠状に形成されたパネルベースとを含み、上記ケース本体内には、遠心ファンおよびそのファン駆動用モータと、上記遠心ファンの周りに配置された熱交換器とが収納されているとともに、上記ケース本体の下面側には、上記遠心ファンの吸気口を形成するベルマウスと、上記熱交換器にて熱交換された空気の送風口とが設けられ、上記パネルベースには、上記送風口に対応して配置される風向板と、上記ベルマウスの吸気口に連通する吸込グリルとが設けられている天井埋込型の空気調和機において、上記パネルベースの側壁には、化粧枠が取付位置変更手段を介して異なる高さ位置に選択的に取り付けられ、上記取付位置変更手段は、上記化粧枠の相対向する所定の２辺に設けられたフックと、上記パネルベースの相対向する一方の２辺側において上記フックと係合するように形成された深さの浅い第１溝と、上記パネルベースの相対向する他方の２辺側において上記フックと係合するように形成された深さの深い第２溝とを備え、上記フックを上記第１溝もしくは上記第２溝のいずれかに係合させることにより、上記パネルベースに対して上記化粧枠が異なる高さ位置に保持されることを特徴としている。
【００１３】
これによれば、上記フックを上記第１溝もしくは上記第２溝のいずれかに係合させることにより、上記パネルベースに対して上記化粧枠を異なる高さ位置に保持することができる。
【００１４】
この取付位置変更手段において、上記フックは、上記各溝に対して上方から係合する逆Ｕ字状に形成されていることが好ましい態様として推奨される。また、上記第１溝および上記第２溝の下方に、上記フックの両側辺に当接するリブを形成することにより、上記フックの左右方向の動きを封ずることができる。
【００１５】
その場合、上記リブは、下方に行くにしたがって漸次高さが高くなる傾斜面を備えていることが好ましく、これによれば、上記フックをスムーズに上記各溝に係合することができる。
【００１６】
【発明の実施の形態】
まず、本発明の第１実施例について説明する。図１は第１実施例に係る空気調和機の外観斜視図、図２は天井裏に設置された状態での同空気調和機の断面図で、作図の都合上、その右側半分しか示されていないが、左側部分は右側部分と左右対称であると理解されたい。
【００１７】
この空気調和機１００は、吊りボルト４により天井スラブ５に吊り下げられるケース本体１１０を備えている。ケース本体１１０は、室内側の下面が開放された金属製の箱体からなり、その内壁には断熱材１１３が貼り付けられている。ケース本体１１０の内部中央には、遠心ファン１１１およびその駆動モータ１１２が、それらの回転軸をほぼ垂直として設けられている。
【００１８】
ケース本体１１０内において、遠心ファン１１１の周りには熱交換器１１４が配置されている。熱交換器１１４の下方には、結露水を受けるためのドレンパン１１５が設けられている。ドレンパン１１５は例えば発泡合成樹脂からなり、この実施例において、ドレンパン１１５には熱交換器１１４にて熱交換された空気を室内に向けて送風するための送風口１１６が一体に形成されている。
【００１９】
図１に示されているように、送風口１１６は長方形状の開口として、ケース本体１１０の各辺に沿って配置されている。ケース本体１１０の下面側の中央部分には、遠心ファン１１１の吸気口を有するベルマウス１１７が、遠心ファン１１１に対して同軸的に設けられている。
【００２０】
図３の分解斜視図に示されているように、ケース本体１１０の下面には、合成樹脂により四角い枠状に形成されたパネルベース１３０がネジなどの固定手段を介して固定される。パネルベース１３０には風向板１３１が取り付けられる。この場合、風向板１３１は４枚であり、その各々がケース本体１１０の各送風口１１６に対応した位置に配置される。
【００２１】
詳しくは図示されていないが、パネルベース１３０には、各風向板１３１の両端を回転可能に支持する軸受けが設けられている。各風向板１３１は、同期的に回転するように継手１３２を介して互いに連結される。継手１３２には、ユニバーサル継手やフレキシブルシャフトなどが用いられる。
【００２２】
各継手１３２は、パネルベース１３０の４角に配置されるが、その内の一つの継手１３２に風向板駆動部１３３が連結される。風向板駆動部１３３は、図１０に示されているように、モータ１３４と、同モータ１３４の回転運動を往復回転に変換して継手１３２に伝達する運動変換機構１３５とを有し、これにより、各風向板１３１が所定角度範囲内で往復回転される。
【００２３】
ケース本体１１０にパネルベース１３０が取り付けられた後、図４の分解斜視図に示されているように、パネルベース１３０に対して、その枠内を覆うように吸込グリル１５０が取り付けられる。また、パネルベース１３０の外側に化粧枠１７０がはめ込まれる。吸込グリル１５０と化粧枠１７０は、ともに前面パネル要素であり、これらにより前面パネルが形成される。
【００２４】
すなわち、この空気調和機１００において、前面パネルは吸込グリル１５０と化粧枠１７０の２部材よりなる。吸込グリル１５０は、１枚の射出成形体からなり、その中央部にはケース本体１１０側のベルマウス１１７内に連通する多数のスリットからなる空気吸込口１５１が形成されている。また、吸込グリル１５０の４辺には、ケース本体１１０側の送風口１１６に連通する空気吹出し口１５２が形成されている。
【００２５】
本発明において、化粧枠１７０は天井裏の高さスペースに応じて異なる高さ位置に設定可能であり、そのための取付位置変更手段を備えている。まず、図５および図６を参照すると、この第１実施例において、取付位置変更手段１９０は化粧枠１７０側に取り付けられたフック１９１と、パネルベース１３０側に形成された深さの異なる２種類の溝１９５，１９７との組合せからなる。
【００２６】
フック１９１は、その開口端側が下方に向くようにして、すなわち逆Ｕ字状として化粧枠１７０の内壁１７１側に取り付けられる（図９参照）。化粧枠１７０は４つの辺を有しているが、フック１９１が取り付けられるのは、その内の相対向する一方の２辺である。この第１実施例では、その一つの辺について、２つのフック１９１，１９１が左右両側位置に取り付けられている。
【００２７】
これに対して、図７および図８に示されているように、溝１９５，１９７はパネルベース１３０の側壁１３６に形成される。なお、側壁１３６はケース本体１１０の壁面に沿って立ち上がるように形成されている。この場合、図８の深さの深い第１溝１９５は、パネルベース１３０の４辺の内の相対向する一方の２辺に配置され、図７の深さの浅い第２溝１９７は相対向する他方の２辺に配置される。
【００２８】
上記のように、化粧枠１７０にはその所定の一つの辺に２つのフック１９１，１９１が設けられることに対応して、第１溝１９５および第２溝１９７は、ともに設けられるべき辺の左右両側の２個所に形成される。
【００２９】
したがって、化粧枠１７０を水平面内で９０゜回転させて、図５のようにケース本体１１０の上方から挿入し、そのフック１９１を深さの深い第１溝１９５もしくは深さの浅い第２溝１９７に係合させることにより、図２に示されているように、化粧枠１７０を下方のＡ位置もしくは上方のＢ位置のいずれかに設定することができる。
【００３０】
なお、Ａ位置は吸込グリル１５０の面とほぼ同じ高さ位置であり、天井裏の高さスペースがケース本体１１０を完全に収納し得る広さである場合に、化粧枠１７０はＡ位置に設定される。このとき、外観上化粧枠１７０は吸込グリル１５０と一体に見える。
【００３１】
Ｂ位置はＡ位置よりも高い高さ位置であり、天井裏の高さスペースが狭く、ケース本体１１０の下方の一部分が天井面からはみ出てしまうような場合に、化粧枠１７０は天井板との間に隙間ができないようにＢ位置に設定される。
【００３２】
なお、実際の据え付け作業では、天井裏の高さスペースを測り、その高さスペースに応じて化粧枠１７０をＡ位置，Ｂ位置のいずれかに設定したうえで、ケース本体１１０を吊りボルト４により天井スラブ５に吊り下げ、その後、吊りボルト４で化粧枠１７０が天井面と同一高さになるように微調整が行なわれる。
【００３３】
この第１実施例では、化粧枠１７０の水平面内でのガタ付きを防止するため、図９に示されているように、パネルベース１３０の側壁１３６の裏面側にリブ１３７が形成されている。このリブ１３７は、各溝１９５，１９７の溝底よりも下側で、フック１９１の両側辺に当接し得るように一対として配置される。
【００３４】
好ましくは、各リブ１３７は下方に行くにしたがって漸次高さが高くなる傾斜面を有し、側面視で三角形状とされているとよく、これによれば、フック１９１をリブ１３７，１３７間に円滑に滑り込ませることができるとともに、その両側辺がリブ１３７，１３７によって押さえられるため、化粧枠１７０の水平面内でのガタ付きが防止される。
【００３５】
先に説明した風向板駆動部１３３は、通常、吸込グリル１５０によって覆われているが、フィルタを交換もしくは洗浄するため吸込グリル１５０を外したときには剥き出し状態となり、サービスマンなどによって不用意に触られ、歯車などの噛み合いが狂わされるおそれがある。
【００３６】
そこで、この実施例では、図１０に示されているように、風向板駆動部１３３を保護カバー１４１で覆うようにしている。この保護カバー１４１は、パネルベース１３０とは別に形成され、係合爪などの公知の係合手段にてパネルベース１３０に着脱可能に装着される。
【００３７】
また、図１１に示されているように、パネルベース１３０にはケース本体１１０の送風口１１６に連通する空気吹出し開口１３８が設けられている。この実施例においては、その開口側壁１３９をパネルベース１３０の側壁１３６の下端からケース本体１１０の送風口１１６内に入り込むように形成して、側壁１３６と開口側壁１３９との間にほぼＶ字状の空間を確保している。
【００３８】
そして、その空間内に、送風口１１６を形成している発泡合成樹脂（断熱材）の下端を緊密に挿入することにより、空気吹出し部分の断熱性を向上させて、冷気漏れによる結露発生を防止するようにしている。また、開口側壁１３９をパネルベース１３０の側壁下端側に向けて湾曲する曲面状に形成することにより、送風抵抗を低減するようにしている。
【００３９】
また、図１１に示されているように、風向板１３１には両端のほかに、その背面側中央部に回転軸１３１ａを備えている。これに対応して、開口側壁１３９の中央部には、回転軸１３１ａを回転自在に支承する軸受け板１４２が設けられており、これにより風向板１３１の中間部が撓まないようにしている。この支持構造は、特に風向板１３１が長尺である場合に有効である。
【００４０】
なお、上記第１実施例では、パネルベース１３０側および化粧枠１７０側において、その所定の一つの辺について、フック１９１と溝１９５（１９７）をそれぞれ２つずつ設けているが、それらを各１個として辺中央に設けるようにしてもよい。
【００４１】
次に、本発明の第２実施例（第１参考実施例）について説明するが、この第２実施例と上記第１実施例と異なる点は、パネルベースに対する化粧枠の取付位置変更手段である。上記第１実施例で用いられているケース本体１１０および吸込グリル１５０については、この第２実施例に適用するにあたって変更を要しないため、これらについては説明を省略する。
【００４２】
図１２は、先に説明した図４と同様に描かれたこの第２実施例の分解斜視図である。また、図１３は図１２からパネルベース１３０と化粧枠１７０とを抜き出した斜視図であるが、その位置関係は図１２に対して上下が反対になっている。また、図１３において、パネルベース１３０は、その骨格のみが多分に模式的に描かれているが、同パネルベース１３０には、上記第１実施例と同じく風向板１３１およびその駆動部１３３などが実装されていると理解されたい。
【００４３】
この第２実施例の取付位置変更手段によれば、パネルベース１３０の各コーナに角切り部２１０が形成されるとともに、化粧枠１７０の高さ位置を変更可能とするため、その各角切り部２１０に取り付けられる４つのコーナー部材２３０が用いられる。なお、角切り部とは、直角のコーナー（角部）を例えば４５゜の斜面に切り落とした部分を言う。
【００４４】
コーナー部材２３０は、角切り部２１０を補完する形状を有している。すなわち、角切り部２１０は、コーナー部材２３０が取り付けられることにより、元の直角の角部となる。すなわち、図１４に示されているように、コーナー部材２３０は、直角状に折り曲げられた左右の側板２３１，２３１を備えており、これらの側板２３１，２３１により、パネルベース１３０の各コーナーが直角に戻される（図１５参照）。
【００４５】
コーナー部材２３０を角切り部２１０に取り付けるにあたっては、コーナー部材２３０の側面と、パネルベース１３０の側面とを同一面に揃えることが望ましい。そのためには、パネルベース１３０の側壁１３６を角切り部２１０内に所定長さ突設するとともに、コーナー部材２３０の各側板２３１の端部に、側壁１３６の内面に係合するＬ字状の段部２３２をそれぞれ形成して、図１５に示されているように、同段部２３２を側壁１３６の端部に係合させればよい。
【００４６】
この第２実施例によると、コーナー部材２３０は、次のようにしてパネルベース１３０の角切り部２１０に固定される。コーナー部材２３０は、その左右の側板２３１，２３１に挟まれた内側に、図１６の断面図に示されているように、水平方向に延在する取付板２３３を有し、同取付板２３３にはネジ挿通孔２３４がその所定個所に穿設されている。
【００４７】
これに対して、パネルベース１３０の角切り部２１０側には、図１７にも示されているように、取付板２３３と同じく水平方向に延在する固定板２１１が設けられている。同固定板２１１には、角切り部２１０にコーナー部材２３０がその適正取付位置に設定された際に、取付板２３３側のネジ挿通孔２３４と同軸に位置合わせされるネジ挿通孔２１２が穿設されている。
【００４８】
したがって、取付板２３３を固定板２１１上の適正位置に配置したうえで、ネジ挿通孔２３４，２１２にネジを挿通して両者をネジ止めすることにより、パネルベース１３０の角切り部２１０にコーナー部材２３０が固定されることになる。
【００４９】
コーナー部材２３０の側板２３１には、異なる高さ位置の２個所にネジ挿通孔２３５，２３６が穿設されている。これに対して、化粧枠１７０の内壁１７１には、少なくとも所定高さ位置の１個所にネジ挿通孔１７２が穿設されている。この実施例では、側板２３１には、ネジ挿通孔２３５，２３６と同じ間隔をもって２つのネジ挿通孔１７２が設けられている。
【００５０】
したがって、化粧枠１７０のネジ挿通孔１７２，１７２をともにコーナー部材２３０のネジ挿通孔２３５，２３６に合わせてネジ止めすることにより、化粧枠１７０が例えば図２のＡ位置に設定される。
【００５１】
これに対して、化粧枠１７０を上方にずらして、下方のネジ挿通孔１７２をコーナー部材２３０側の上方にあるネジ挿通孔２３６に合わせてネジ止めすることにより、化粧枠１７０が図２のＢ位置に設定される。
【００５２】
なお、これらのネジ挿通孔の合わせ方は任意であって、例えば化粧枠１７０の上方のネジ挿通孔１７２を、コーナー部材２３０の下方のネジ挿通孔２３５にあわせたときに、化粧枠１７０が図２のＡ位置に設定されるようにしてもよい。
【００５３】
次に、本発明の第３実施例（第２参考実施例）について説明する。この第３実施例によれば、パネルベース１３０に対して化粧枠１７０を下方（室内側）からはめ込んで、その高さ位置を調整することができる。この第３実施例においても、ケース本体１１０および吸込グリル１５０は上記第１実施例と変更を要しないため、その説明は省略する。
【００５４】
図１８は、この第３実施例のパネルベース１３０と化粧枠１７０とを分離して示した斜視図である。この第３実施例は、パネルベース１３０に対して化粧枠１７０を室内側の下方から上方にはめ込んだときに、低い高さ位置（図２のＡ位置）で係合する第１係合手段３１０と、それよりも高い高さ位置（図２のＢ位置）で係合する第２係合手段３３０とを備えている。
【００５５】
パネルベース１３０に化粧枠１７０をはめ込むにあたって、化粧枠１０を水平面内において９０度回転させることにより、第１係合手段３１０もしくは第２係合手段３３０のいずれか一方が選択される。
【００５６】
各係合手段３１０，３３０は、パネルベース１３０の側壁１３６側に形成された突起と、化粧枠１７０の内壁１７１側に形成された弾性変形可能な係合片との組み合せからなり、これらはパネルベース１３０および化粧枠１７０の４つの各辺ごとに、位置的に互いに干渉しないように設けられている。
【００５７】
図１９を併せて参照すると、第１係合手段３１０は、パネルベース１３０の側壁１３６側に形成された突起３１１と、化粧枠１７０の内壁１７１側に形成された係合片３１３との組合せからなる。同様に、第２係合手段３３０は、パネルベース１３０の側壁１３６側に形成された突起３３１と、化粧枠１７０の内壁１７１側に形成された係合片３３３との組合せからなる。
【００５８】
第１係合手段３１０側の突起３１１は、パネルベース１３０の側壁１３６に直に形成されている。これに対して、第２係合手段３３０側の突起３３１は、パネルベース１３０を側方から見て、突起３１１の斜め上方で、しかもパネルベース１３０の側壁１３６から離れた位置に設けられている。
【００５９】
すなわち、パネルベース１３０の側壁１３６は、突起３３１が配置されるべき位置に門形フレーム３３５を有し、突起３３１はこの門形フレーム３３５の内面、すなわちパネルベース１３０の側壁１３６と対向する面に形成されている。下方の室内側から見て、突起３３１は突起３１１よりも高い高さ位置で、しかも上下方向において突起３１１と重ならない位置に配置されている。
【００６０】
第１係合手段３１０側の係合片３１３および第２係合手段３３０側の係合片３３３には、それぞれ対向する突起３１１，３３１に嵌合する嵌合孔３１４，３３４が穿設されている。係合片３１３と係合片３３３は隣り合うように配置されているが、化粧枠１７０の内壁１７１をその枠内部側から見て、一方の係合片３１３は他方の係合片３３３よりも手前側位置に配置されている。
【００６１】
すなわち、パネルベース１３０に化粧枠１７０をはめ込んだときに、第１係合手段３１０側の係合片３１３はパネルベース１３０の側壁１３６に接触する。これに対して、第２係合手段３３０側の係合片３３３は上記門形フレーム３３５内に入り込むようになっており、係合片３３３と側壁１３６との間には隙間が生ずる。
【００６２】
パネルベース１３０および化粧枠１７０の各平面が示されている図２０を併せて参照すると、各係合手段３１０，３３０ともに、一つの辺あたりその左右両側の２個所に設けられている。すなわち、パネルベース１３０について言えば、一つの辺あたり、その一方の側部に突起３１１と突起３３１が隣接して配置され、また、他方の側部にも突起３１１と突起３３１が隣接して配置される。
【００６３】
この場合、一方の突起３１１と他方の突起３１１との間の距離と、一方の突起３３１と他方の突起３３１との間の距離は等しいが、突起３１１，３１１および突起３３１，３３１は、パネルベース１３０の中心線Ｃ−Ｃに対して、それぞれ非対称の位置に配置されている。
【００６４】
また、突起３１１と突起３３１の並び順については、相対向する一方の２辺１３６ａ，１３６ｂと、相対向する他方の２辺１３６ｃ，１３６ｄとは異なる並び順とされている。なお、辺１３６ａと辺１３６ｂにおける突起の並び順は、パネルベース１３０の中心点Ｏについて点対称、同様に、辺１３６ｃと辺１３６ｄにおける突起の並び順も中心点Ｏについて点対称の関係にある。
【００６５】
そこで、辺１３６ａにおける突起の並び順と、辺１３６ｃにおける突起の並び順について説明する。図２０において、突起の並び順を反時計方向回りとして見ると、辺１３６ａにおいては、３１１→３３１→３１１→３３１となっているのに対して、辺１３６ｃにおいては、３３１→３１１→３３１→３１１となっている。
【００６６】
また、辺１３６ａ，１３６ｂでは各突起の位置が全体的に中心線Ｃ−Ｃに対して時計方向回り側に偏らされているのに対して、辺１３６ｃ，１３６ｄでは各突起の位置が全体的に中心線Ｃ−Ｃに対して反時計方向回り側に偏らされている。
【００６７】
化粧枠１７０側においても、一つの辺あたり、その一方の側部に第１係合手段３１０側の係合片３１３と第２係合手段３３０側の係合片３３３が隣接して配置され、また、他方の側部にも同じく係合片３１３と係合片３３３が隣接して配置される。
【００６８】
この場合、一方の係合片３１３と他方の係合片３１３との間の距離と、一方の係合片３３３と他方の係合片３３３との間の距離は等しいが、係合片３１３，３１３および係合片３３３，３３３は、化粧枠１７０の中心線Ｃ−Ｃに対して、それぞれ非対称の位置に配置されている。なお、中心線Ｃ−Ｃはパネルベース１３０と共通である。
【００６９】
また、係合片３１３と係合片３３３の並び順については、相対向する一方の２辺１７１ａ，１７１ｂと、相対向する他方の２辺１７１ｃ，１７１ｄとは異なる並び順とされている。なお、辺１７１ａと辺１７１ｂにおける係合片の並び順は、化粧枠１７０の中心点Ｏについて点対称、同様に、辺１７１ｃと辺１７１ｄにおける係合片の並び順も中心点Ｏに関して点対称の関係にある。
【００７０】
そこで、辺１７１ａと辺１７１ｃにおける係合片の並び順について説明する。図２０において、係合片の並び順を反時計方向回りとして見ると、辺１７１ａにおいては、３１３→３３３→３１３→３３３となっているのに対して、辺１７１ｃにおいては、３３３→３１３→３３３→３１３となっている。
【００７１】
また、パネルベース１３０側と同様に、辺１７１ａ，１７１ｂでは各係合片の位置が全体的に中心線Ｃ−Ｃに対して時計方向回り側に偏らされているのに対して、辺１７１ｃ，１７１ｄでは各係合片の位置が全体的に中心線Ｃ−Ｃに対して反時計方向回り側に偏らされている。
【００７２】
この第３実施例は、上記第１および第２係合手段３１，３３０のほかに、化粧枠１７０の中央部分を保持する第３係合手段３５０をさらに備えている。この第３係合手段３５０は、パネルベース１３０の各辺の中央部に取り付けられる４つの枠保持部材３５１と、化粧枠１７０の各辺の中央部４個所の各々に形成された２つの係止孔３５５，３５６とから構成されている。
【００７３】
枠保持部材３５１は、図２１および図２４に示されているように、パネルベース１３０の側壁１３６の上縁部にネジ止めされる基部３５２を有し、この基部３５２には２つの係止爪３５３，３５４が下方に向けて形成されている。各係止爪３５３，３５４は、第１係合手段３１０の突起３１１と同一高さ位置にあり、その高さ位置において所定の間隔をもって並設されている。
【００７４】
この場合、図２０に示されているように、一方の第１係止爪３５３はパネルベース１３０の中心線Ｃ−Ｃ上に配置され、他方の第２係止爪３５４は中心線Ｃ−Ｃからずらされている。すなわち、中心点Ｏから見て、第２係止爪３５４は辺１３６ａ，１３６ｂでは中心線Ｃ−Ｃよりも左側に配置され、辺１３６ｃ，１３６ｄでは中心線Ｃ−Ｃよりも右側に配置されている。
【００７５】
化粧枠１７０に設けられる２つの係止孔３５５，３５６の内の一方の第１係止孔３５５は、中心線Ｃ−Ｃ上に配置される。他方の第２係止孔３５６は、第１係止孔３５５よりも高い高さ位置にあって、かつ、中心線Ｃ−Ｃからずらされている。この第２係止孔３５６は、上記第２係止爪３５４と同じく、中心点Ｏから見て、辺１７１ａ，１７１ｂでは中心線Ｃ−Ｃよりも左側に配置され、辺１７１ｃ，１７１ｄでは中心線Ｃ−Ｃよりも右側に配置されている。
【００７６】
次に、この第３実施例の作用について説明する。まず、図２０に示されているように、辺１３６ａと辺１７１ａ、辺１３６ｂと辺１７１ｂ、辺１３６ｃと辺１７１ｃおよび辺１３６ｄと辺１７１ｄとをそれぞれ合わせた状態で、パネルベース１３０に化粧枠１７０を下方よりはめ込むと、化粧枠１７０は図２のＡ位置にセットされる。
【００７７】
図２２には、このときの辺１３６ｃと辺１７１ｃの対応関係が示されており、この図から分かるように、第１係合手段３１０側の突起３１１と係合片３１３、第２係合手段３３０側の突起３３１と係合片３３３、それに第３係合手段３５０の第１係止爪３５３と第１係止孔３５５、第２係止爪３５４と第２係止孔３５６とがそれぞれ対応する。
【００７８】
この状態で、化粧枠１７０を押し上げると、第２係合手段３３０側の突起３３１と係合片３３３よりも先に第１係合手段３１０側の突起３１１と係合片３１３とが係合する（図２３参照）。また、第３係合手段３５０についても、下側の第１係止孔３５５よりも先に上側の第２係止孔３５６が第２係止爪３５４に捕捉される（図２４参照）。このようにして、化粧枠１７０が図２のＡ位置にセットされる。
【００７９】
一方、図２０の状態からパネルベース１３０に対して化粧枠１７０側を例えば反時計方向側に９０゜回転させて図２５の状態とすると、図２６に示されている辺１３６ｃと辺１７１ａの対応関係から分かるように、第２係合手段３３０側の突起３３１と係合片３３３とが対応するが、第１係合手段３１０側の係合片３１３は係合相手がいなくなる。また、第３係合手段３５０においても、第１係止爪３５３と第１係止孔３５５とが対応するが、第２係止孔３５６の係止相手がいなくなる。
【００８０】
したがって、この状態で、化粧枠１７０を押し上げると、図２７の断面図に示されているように、第２係合手段３３０側の突起３３１と係合片３３３とが係合するとともに、図２８の断面図に示されているように、第３係合手段３５０の第１係止爪３５３に第１係止孔３５５が捕捉され、これにより化粧枠１７０が図２のＢ位置にセットされることになる。
【００８１】
なお、上記各実施例では、パネルベース１３０の開口部を１枚の吸込グリル１５０で覆うようにし、吸込グリル１５０に前面パネルを兼ねさせているが、天井埋込型の場合、吸込グリル１５０はかなり大型のものとなるため、成形が難しいばかりでなく、反りや撓みが生じやすい。
【００８２】
この点を解決するため、本発明の変形例においては、図２９に示されているように、パネルベース１３０に、ケース本体１１０の送風口１１６に対応する第１開口部１４３およびベルマウス１１７の吸気口に対応する第２開口部１４４を有する前面パネル１４５を一体に形成するようにしている。
【００８３】
このように、パネルベース１３０に前面パネル１４５をモールド樹脂にて一体成形することにより、剛性の高い前面パネル兼用のパネルベースが得られる。この場合において、吸込グリル１５０ａは第２開口部１４４に対応する大きさとして、前面パネルとは別に成形される。なお、パネルベース１３０をこのように変形しても、化粧枠１７０を異なる高さ位置に設定することになんら支障は生じない。
【００８４】
【発明の効果】
本発明によれば、吊りボルトを介して天井スラブに吊り下げられるケース本体と、そのケース本体の下面側に装着されるパネルベースとを含む天井埋込型の空気調和機において、パネルベースの側壁に、化粧枠を取付位置変更手段を介して異なる高さ位置に選択的に取り付けることができるようにしたことにより、空気調和機のケース本体を設置する天井裏の高さスペースが狭く、そのケース本体の一部分が天井面からはみ出してしまうような場合でも、前面パネル部分を見栄えよく、空気調和機を据え付けることができる。
【図面の簡単な説明】
【図１】本発明による空気調和機の第１実施例を示した外観斜視図。
【図２】上記第１実施例の天井裏に設置した状態での部分断面図。
【図３】上記第１実施例中のケース本体およびパネルベースの分解斜視図。
【図４】上記第１実施例中のケース本体、吸込グリルおよび化粧枠をそれぞれ分離して示した斜視図。
【図５】上記第１実施例において、パネルベースに化粧枠を取り付ける状態の斜視図。
【図６】上記第１実施例において、パネルベースに化粧枠を取り付た状態の斜視図。
【図７】図６の要部拡大斜視図。
【図８】図６の要部拡大斜視図。
【図９】上記第１実施例における化粧枠のガタ付き防止手段を説明するための分解斜視図。
【図１０】上記第１実施例における風向板駆動部の設置部分を示した断面図。
【図１１】上記第１実施例における空気吹出し部分を示した拡大断面図。
【図１２】本発明の第２実施例（第１参考実施例）で、図４と同様にケース本体、吸込グリルおよび化粧枠をそれぞれ分離して示した斜視図。
【図１３】上記第２実施例中の吸込グリルおよび化粧枠を示した斜視図。
【図１４】上記第２実施例において、パネルベースの角切り部とコーナー部材とを分離して示した平面図。
【図１５】図１４の角切り部にコーナー部材を取り付けたときの平面図。
【図１６】図１４に対応する断面図。
【図１７】上記角切り部の斜視図。
【図１８】本発明の第３実施例（第２参考実施例）におけるパネルベースと化粧枠を分離して示した斜視図。
【図１９】上記第３実施例の第１および第２係合手段を説明するための要部拡大斜視図。
【図２０】上記第３実施例のパネルベースと化粧枠とを並置した平面図。
【図２１】上記第３実施例の第３係合手段を構成する枠保持部材の斜視図。
【図２２】図２０の状態におけるパネルベースと化粧枠の対応関係を示した側面図。
【図２３】上記第１係合手段の係合状態を示した断面図。
【図２４】上記第１係合手段の係合時における上記第３係合手段の係合状態を示した断面図。
【図２５】上記化粧枠を図２０の状態から９０゜回転させてパネルベースと並置した平面図。
【図２６】図２５の状態におけるパネルベースと化粧枠の対応関係を示した側面図。
【図２７】上記第２係合手段の係合状態を示した断面図。
【図２８】上記第２係合手段の係合時における上記第３係合手段の係合状態を示した断面図。
【図２９】上記各実施例に共通な本発明の変形例を示した分解斜視図。
【図３０】従来の天井埋込型空気調和機を示した外観斜視図。
【図３１】上記従来例の天井裏に設置状態での概略的な断面図。
【符号の説明】
１１０  ケース本体
１１１  遠心ファン
１１２  モータ
１１３  断熱材
１１４  熱交換器
１１５  ドレンパン
１１６  送風口
１１７  ベルマウス
１３０  パネルベース
１３１  風向板
１３２  継手
１３３  風向板駆動部
１３６  側壁
１３７  リブ
１３８  空気吹出し部
１３９  開口側壁
１４１  保護カバー
１４２  軸受板
１５０  吸込グリル
１５１  空気吸込口
１５２  空気吹出し口
１７０  化粧枠
１７１  内壁
１９０  取付位置変更手段
１９１  フック
１９５，１９７  溝
２１０  角切り部
２１１  固定板
２３０  コーナー部材
２３１  側板
２３２  段部
２３３  取付板
３１０  第１係合手段
３１１  突起
３１３  係合片
３３０  第２係合手段
３３１  突起
３３３  係合片
３３５  門形フレーム
３５０  第３係合手段
３５１  枠保持部材
３５３，３５４  係止爪
３５５，３５６  係止孔
【図１】
0004462389.tif 000002
【図２】
0004462389.tif 000003
【図３】
0004462389.tif 000004
【図４】
0004462389.tif 000005
【図５】
0004462389.tif 000006
【図６】
0004462389.tif 000007
【図７】
0004462389.tif 000008
【図８】
0004462389.tif 000009
【図９】
0004462389.tif 000010
【図１０】
0004462389.tif 000011
【図１１】
0004462389.tif 000012
【図１２】
0004462389.tif 000013
【図１３】
0004462389.tif 000014
【図１４】
0004462389.tif 000015
【図１５】
0004462389.tif 000016
【図１６】
0004462389.tif 000017
【図１７】
0004462389.tif 000018
【図１８】
0004462389.tif 000019
【図１９】
0004462389.tif 000020
【図２０】
0004462389.tif 000021
【図２１】
0004462389.tif 000022
【図２２】
0004462389.tif 000023
【図２３】
0004462389.tif 000024
【図２４】
0004462389.tif 000025
【図２５】
0004462389.tif 000026
【図２６】
0004462389.tif 000027
【図２７】
0004462389.tif 000028
【図２８】
0004462389.tif 000029
【図２９】
0004462389.tif 000030
【図３０】
0004462389.tif 000031
【図３１】
0004462389.tif 000032